(57)【要約】【課題】情報記録後における安定したランドプリピットアドレスの抽出。【解決手段】ランド及び記録トラックとしてのグルーブが形成され、ランドにはアドレス情報がランドプリピットとして記録されているディスクから、ランドプリピットによるアドレス情報の検出する場合に、プッシュプル信号を２値化してウインドウ信号を生成し（３１）、ウインドウ信号に基づいた期間にプッシュプル信号を積分し（３２）、積分した信号から、ランドプリピットによるアドレス情報を抽出する（３３，３４，３５，２６）。【選択図】　　　　図２
2004079030.tif 000002
【特許請求の範囲】
【請求項１】
記録トラックとしてのグルーブが形成され、グルーブとグルーブの間のランドにはアドレス情報がプリピットにより記録されているディスク状記録媒体に対してデータの記録又は再生のためのレーザ出力を行うヘッド手段と、
上記ヘッド手段により検出される反射光情報からプッシュプル信号を生成するプッシュプル信号生成手段と、
上記プッシュプル信号を２値化してウインドウ信号を生成するウインドウ生成手段と、
上記ウインドウ信号に基づいた期間に上記プッシュプル信号を積分する積分手段と、
上記積分手段の出力から、上記プリピットによるアドレス情報を抽出する抽出手段と、
を備えたことを特徴とするディスクドライブ装置。
【請求項２】
記録トラックとしてのグルーブが形成され、グルーブとグルーブの間のランドにはアドレス情報がプリピットにより記録されているディスク状記録媒体に対して、上記プリピットによるアドレス情報の検出方法として、
上記ディスク状記録媒体に対するレーザ照射を行った際の反射光情報からプッシュプル信号を生成し、
上記プッシュプル信号を２値化してウインドウ信号を生成し、
上記ウインドウ信号に基づいた期間に上記プッシュプル信号を積分し、
上記積分した信号から、上記プリピットによるアドレス情報を抽出することを特徴とするアドレス検出方法。
【発明の詳細な説明】
【０００１】
【発明の属する技術分野】
本発明は、光ディスク等のディスク記録媒体に対して記録／再生を行うディスクドライブ装置、及びアドレス検出方法に関するものである。
【０００２】
【従来の技術】
ディスクにデータを記録するには、データトラックを形成するための案内を行う手段が必要になり、このために、プリグルーブとして予め溝（グルーブ）を形成し、そのグルーブもしくはランド（グルーブとグルーブに挟まれる断面台地状の部位）をデータトラックとすることが行われている。
またデータトラック上の所定の位置にデータを記録することができるようにアドレス情報を記録する必要もあるが、このアドレス情報は、グルーブをウォブリング（蛇行）させることで記録されたり、データトラックにプリピットを形成して記録することが行われている。
【０００３】
例えばＤＶＤ（Ｄｉｇｉｔａｌ　Ｖｅｒｓａｔｉｌｅ　Ｄｉｓｃ）の相変化記録方式の書換型ディスクであるＤＶＤ−ＲＷや、有機色素変化方式の追記型ディスクであるＤＶＤ−Ｒでは、図４に示すように、ディスク上のプリフォーマットとしてウォブリンググルーブＧが形成されていると共に、グルーブＧとグルーブＧの間のランドＬの部分にランドプリピットＬＰＰが形成されている。
この場合、ウォブリンググルーブによって得られる反射光情報は、ディスクの回転制御や記録用マスタークロックの生成などに用いられ、またランドプリピットは、ビット単位の正確な記録位置の決定やプリアドレスなどのディスクの各種情報の取得に用いられる。即ちディスク上の物理的な位置を示すアドレスはランドプリピットＬＰＰとして記録される。
【０００４】
このようなディスクに対応するディスクドライブ装置では、再生中や記録中に例えばランドプリピットＬＰＰとしてディスク上に記録されているアドレスを読み出して、記録／再生動作中のディスク上の位置を確認したり各種の制御を行うことになる。
【０００５】
【発明が解決しようとする課題】
ところがランドプリピットＬＰＰは、記録トラックであるグルーブに情報記録が行われた後は、そのグルーブに形成されたピット（相変化ピット等）に干渉されて読み出しにくいものとなる。さらには、情報記録後のディスクのランドプリピットＬＰＰは、光ピックアップ（記録再生ヘッド）の状態、例えば反射光を検出するフォトディテクタのポジションズレや各種収差によっても、読み出しにくくなる。
【０００６】
図５にランドプリピットＬＰＰに対応する読出波形を示す。また図６にランドプリピットＬＰＰによるデータを示す。
ランドプリピットＬＰＰは、ウォブルに同期して上記図４のようにランドの切り欠きにより形成されているが、３つのランドプリピットＬＰＰでアドレスデータの１ビットを表現する。即ち図６のように３つのランドプリピットＬＰＰ（の有無）としてのｂ２，ｂ１，ｂ０が、「１，０，１」であれば、データビット「１」を表し、また「１，０，０」であればデータビット「０」を表すものとされる。
【０００７】
このようなランドプリピットＬＰＰの情報は、ディスクからの反射光情報として、いわゆるプッシュプル信号により得ることができる。即ちトラック線方向に対して左右の反射光量の差分情報である。
このプッシュプル信号では、図５（ａ）に示すようにランドプリピットＬＰＰに応じて比較的大きな振幅が得られ、この振幅を検出することでランドプリピットＬＰＰの情報を検出できる。例えば所定のスレッショルドレベルを用いて二値化することで、ランドプリピットＬＰＰのｂ２，ｂ１，ｂ０としての「１」又は「０」を検出できる。
【０００８】
ここで、グルーブトラックにデータが記録されていない状態であれば、ランドプリピットＬＰＰによる振幅波形は図５（ｂ）に時間軸方向に拡大して示すように鮮明な波形、即ちアイが良好に開いた波形となるため、ランドプリピットＬＰＰ情報を適正に抽出できる。
しかしながらグルーブトラックにデータが記録されていると、図５（ｃ）のようにアイパターン波形がにじんでしまい、ランドプリピットＬＰＰのｂ２，ｂ１，ｂ０としての「１」又は「０」を検出が困難になる。これによってアドレスエラーレートが悪化する。
【０００９】
データ記録後において、このようにランドプリピットＬＰＰによるアドレス読出が困難になることは、例えば記録後のディスクに対して追記記録を行う場合、或いはシークを行う場合に、アドレスが良好に得られなくなり、動作性能が低下することを意味する。
また、これを避けるためには状態や精度のよいピックアップを搭載することが考えられるが、その場合、搭載するピックアップの選別や高精度の高価なピックアップの使用などが必要となり、ディスクドライブ装置のコストアップが生ずるため好ましくない。
【００１０】
【課題を解決するための手段】
本発明はこのような事情に鑑みて、ディスクドライブ装置において、データ記録後においてもランドプリピットによるアドレス情報の検出を良好に実行できるようにすることを目的とする。
【００１１】
このため本発明のディスクドライブ装置は、記録トラックとしてのグルーブが形成され、グルーブとグルーブの間のランドにはアドレス情報がプリピットにより記録されているディスク状記録媒体に対してデータの記録又は再生のためのレーザ出力を行うヘッド手段と、上記ヘッド手段により検出される反射光情報からプッシュプル信号を生成するプッシュプル信号生成手段と、上記プッシュプル信号を２値化してウインドウ信号を生成するウインドウ生成手段と、上記ウインドウ信号に基づいた期間に上記プッシュプル信号を積分する積分手段と、上記積分手段の出力から上記プリピットによるアドレス情報を抽出する抽出手段とを備えるようにする。
【００１２】
本発明のアドレス検出方法は、記録トラックとしてのグルーブが形成され、グルーブとグルーブの間のランドにはアドレス情報がプリピットにより記録されているディスク状記録媒体に対して、上記プリピットによるアドレス情報の検出方法として、上記ディスク状記録媒体に対するレーザ照射を行った際の反射光情報からプッシュプル信号を生成し、上記プッシュプル信号を２値化してウインドウ信号を生成し、上記ウインドウ信号に基づいた期間に上記プッシュプル信号を積分し、上記積分した信号から、上記プリピットによるアドレス情報を抽出する。
【００１３】
以上の本発明によれば、プッシュプル信号を、ウインドウ信号によるランドプリピット検出期間において積分して、積分結果からランドプリピット信号を検出する。この場合、プッシュプル信号の積分によってランドプリピットに応じた明確な波形を得ることができる。
【００１４】
【発明の実施の形態】
以下、本発明の実施の形態として、ＤＶＤ−Ｒ、ＤＶＤ−ＲＷに対応するディスクドライブ装置（記録再生装置）を例に挙げて説明する。
【００１５】
図１は本例のディスクドライブ装置３０の構成を示す。
ＤＶＤ−Ｒ、ＤＶＤ−ＲＷとしてのディスク１００は、ターンテーブル７に積載され、記録／再生動作時においてスピンドルモータ６によって一定線速度（ＣＬＶ）で回転駆動される。そして光学ピックアップ１によってディスク１００上のトラック（グルーブトラック）に記録されたピットデータやトラックのウォブリング情報、ランドプリピット情報の読み出しがおこなわれる。グルーブとして形成されているトラック上にデータとして記録されるピットはいわゆる色素変化ピット又は相変化ピットである。
【００１６】
ピックアップ１内には、レーザ光源となるレーザダイオード４や、反射光を検出するためのフォトディテクタ５、レーザ光の出力端となる対物レンズ２、レーザ光を対物レンズ２を介してディスク記録面に照射し、またその反射光をフォトディテクタ５に導く光学系（図示せず）が形成される。
またレーザダイオード４からの出力光の一部が受光されるモニタ用ディテクタ２２も設けられる。
レーザダイオード４は、波長６５０ｎｍ又は６３５ｎｍのレーザ光を出力する。また光学系によるＮＡは０．６である。
【００１７】
対物レンズ２は二軸機構３によってトラッキング方向及びフォーカス方向に移動可能に保持されている。
またピックアップ１全体はスレッド機構８によりディスク半径方向に移動可能とされている。
またピックアップ１におけるレーザダイオード４はレーザドライバ１８からのドライブ信号（ドライブ電流）によってレーザ発光駆動される。
【００１８】
ディスク９０からの反射光情報はフォトディテクタ５によって検出され、受光光量に応じた電気信号とされてマトリクス回路９に供給される。
マトリクス回路９には、フォトディテクタ５としての複数の受光素子からの出力電流に対応して電流電圧変換回路、マトリクス演算／増幅回路等を備え、マトリクス演算処理により必要な信号を生成する。
例えば再生データに相当するＲＦ信号、サーボ制御のためのフォーカスエラー信号ＦＥ、トラッキングエラー信号ＴＥなどを生成する。
さらに、ランドプリピット及びグルーブのウォブリングに係る信号としてプッシュプル信号Ｐ／Ｐを生成する。なお、プッシュプル信号はトラッキングエラー信号としても用いられる。
【００１９】
マトリクス回路９から出力されるＲＦ信号は２値化回路１１へ、フォーカスエラー信号ＦＥ、トラッキングエラー信号ＴＥはサーボ回路１４へ、プッシュプル信号Ｐ／Ｐはランドプリピット抽出部２４及びウォブルＰＬＬ２５へ、それぞれ供給される。
【００２０】
プッシュプル信号Ｐ／Ｐは、ランドプリピット抽出部２４で２値化されてランドプリピット情報としてアドレスデコーダ２６に供給され、アドレスデコーダ２６によってプリフォーマットされているアドレス情報がデコードされる。デコードされたアドレス情報はシステムコントローラ１０に供給される。
またプッシュプル信号Ｐ／Ｐからは、ウォブルＰＬＬ２５におけるＰＬＬ動作によりウォブルクロックＷＣＫが生成される。このウォブルクロックＷＣＫは、エンコードクロック発生部２５、アドレスデコーダ２６、スピンドルサーボ回路２３に供給される。
【００２１】
マトリクス回路９で得られたＲＦ信号は２値化回路１１で２値化されたうえで、エンコード／デコード部１２に供給される。
エンコード／デコード部１２は、再生時のデコーダとしての機能部位と、記録時のエンコーダとしての機能部位を備える。
再生時にはデコード処理として、ランレングスリミテッドコードの復調処理、エラー訂正処理、デインターリーブ等の処理を行い、再生データを得る。
【００２２】
またエンコード／デコード部１２は、再生時には、ＰＬＬ処理によりＲＦ信号に同期した再生クロックを発生させ、その再生クロックに基づいて上記デコード処理を実行する。
再生時においてエンコード／デコード部１２は、上記のようにデコードしたデータをバッファメモリ２０に蓄積していく。
このディスクドライブ装置３０からの再生出力としては、バッファメモリ２０にバファリングされているデータが読み出されて転送出力されることになる。
【００２３】
インターフェース部１３は、外部のホストコンピュータ８０と接続され、ホストコンピュータ８０との間で記録データ、再生データや、各種コマンド等の通信を行う。
そして再生時においては、デコードされバッファメモリ２０に格納された再生データは、インターフェース部１３を介してホストコンピュータ８０に転送出力されることになる。
なお、ホストコンピュータ８０からのリードコマンド、ライトコマンドその他の信号はインターフェース部１３を介してシステムコントローラ１０に供給される。
【００２４】
一方、記録時には、ホストコンピュータ８０から記録データが転送されてくるが、その記録データはインターフェース部１３からバッファメモリ２０に送られてバッファリングされる。
この場合エンコード／デコード部１２は、バファリングされた記録データのエンコード処理として、エラー訂正コード付加やインターリーブ、サブコード等の付加、ディスク１００への記録データとしてのランレングスリミテッドコード変調等のエンコードを実行する。
【００２５】
記録時においてエンコード処理のための基準クロックとなるエンコードクロックはエンコードクロック発生部２７で発生され、エンコード／デコード部１２は、このエンコードクロックを用いてエンコード処理を行う。
エンコードクロック発生部２７は、ウォブルＰＬＬ２５から供給されるウォブルクロックＷＣＫ及びランドプリピット抽出部２４から供給されるランドプリピット情報からエンコードクロックを発生させる。
【００２６】
エンコード／デコード部１２でのエンコード処理により生成された記録データは、記録パルス発生部２１で記録パルス（レーザ駆動パルス）に変換され、レーザードライバ１８に送られる。
この記録パルス発生部２１では記録補償、すなわち記録層の特性、レーザー光のスポット形状、記録線速度等に対する最適記録パワーの微調整やレーザ駆動パルス波形の調整も行う。
【００２７】
レーザドライバ１８では供給されたレーザ駆動パルスに基づいたドライブ電流をレーザダイオード４に与え、レーザ発光駆動を行う。これによりディスク９０に記録データに応じたピット（色素変化ピット／相変化ピット）が形成されることになる。
【００２８】
ＡＰＣ回路（Ａｕｔｏ　Ｐｏｗｅｒ　Ｃｏｎｔｒｏｌ）１９は、モニタ用ディテクタ２２の出力によりレーザ出力パワーをモニターしながらレーザーの出力が温度などによらず一定になるように制御する回路部である。レーザー出力の目標値はシステムコントローラ１０から与えられ、レーザ出力レベルが、その目標値になるようにレーザドライバ１８を制御する。
【００２９】
サーボ回路１４は、マトリクス回路９からのフォーカスエラー信号ＦＥ、トラッキングエラー信号ＴＥから、フォーカス、トラッキング、スレッドの各種サーボドライブ信号を生成しサーボ動作を実行させる。
即ちフォーカスエラー信号ＦＥ、トラッキングエラー信号ＴＥに応じてフォーカスドライブ信号ＦＤ、トラッキングドライブ信号ＴＤを生成し、二軸ドライバ１６に供給する。二軸ドライバ１６はピックアップ１における二軸機構３のフォーカスコイル、トラッキングコイルを駆動することになる。これによってピックアップ１、マトリクス回路９、サーボプロセッサ１４、二軸ドライバ１６、二軸機構３によるトラッキングサーボループ及びフォーカスサーボループが形成される。
【００３０】
またサーボ回路１４は、システムコントローラ１０からのトラックジャンプ指令に応じて、トラッキングサーボループをオフとし、二軸ドライバ１６に対してジャンプドライブ信号を出力することで、トラックジャンプ動作を実行させる。
【００３１】
またサーボ回路１４は、トラッキングエラー信号ＴＥの低域成分として得られるスレッドエラー信号や、システムコントローラ１０からのアクセス実行制御などに基づいてスレッドドライブ信号を生成し、スレッドドライバ１５に供給する。スレッドドライバ１５はスレッドドライブ信号に応じてスレッド機構８を駆動する。スレッド機構８には、図示しないが、ピックアップ１を保持するメインシャフト、スレッドモータ、伝達ギア等による機構を有し、スレッドドライバ１５がスレッドドライブ信号に応じてスレッドモータ８を駆動することで、ピックアップ１の所要のスライド移動が行なわれる。
【００３２】
スピンドルサーボ回路２３はスピンドルモータ６をＣＬＶ回転させる制御を行う。
スピンドルサーボ回路２３は、データ記録時には、ウォブルＰＬＬで生成されるウォブルクロックＷＣＫを、現在のスピンドルモータ６の回転速度情報として得、これを所定のＣＬＶ基準速度情報と比較することで、スピンドルエラー信号ＳＰＥを生成する。
またデータ再生時においては、エンコード／デコード部２１内のＰＬＬによって生成される再生クロック（デコード処理の基準となるクロック）が、現在のスピンドルモータ６の回転速度情報となるため、これを所定のＣＬＶ基準速度情報と比較することでスピンドルエラー信号ＳＰＥを生成する。
そしてスピンドルサーボ回路２３は、スピンドルモータドライバ１７に対してスピンドルエラー信号ＳＰＥに応じて生成したスピンドルドライブ信号を供給する。スピンドルモータドライバ１７はスピンドルドライブ信号に応じて例えば３相駆動信号をスピンドルモータ６に印加し、スピンドルモータ６のＣＬＶ回転を実行させる。
またスピンドルサーボ回路２３は、システムコントローラ１０からのスピンドルキック／ブレーキ制御信号に応じてスピンドルドライブ信号を発生させ、スピンドルモータドライバ１７によるスピンドルモータ６の起動、停止、加速、減速などの動作も実行させる。
【００３３】
以上のようなサーボ系及び記録再生系の各種動作はマイクロコンピュータによって形成されたシステムコントローラ１０により制御される。
システムコントローラ１０は、ホストコンピュータ８０からのコマンドに応じて各種処理を実行する。
例えばホストコンピュータ８０から、ディスク１００に記録されている或るデータの転送を求めるリードコマンドが供給された場合は、まず指示されたアドレスを目的としてシーク動作制御を行う。即ちサーボ回路１４に指令を出し、シークコマンドにより指定されたアドレスをターゲットとするピックアップ１のアクセス動作を実行させる。
その後、その指示されたデータ区間のデータをホストコンピュータ８０に転送するために必要な動作制御を行う。即ちディスク１００からのデータ読出／デコード／バファリング等を行って、要求されたデータを転送する。
【００３４】
またホストコンピュータ８０から書込命令（ライトコマンド）が出されると、システムコントローラ１０は、まず書き込むべきアドレスにピックアップ１を移動させる。そしてエンコード／デコード部１２により、ホストコンピュータ８０から転送されてきたデータについて上述したようにエンコード処理を実行させる。
そして上記のように記録パルス発生部２１からのレーザ駆動パルスがレーザドライバ１８に供給されることで、記録が実行される。
【００３５】
このディスクドライブ装置３０における再生時の動作と記録時の動作をまとめると以下のようになる。
【００３６】
＜再生時の動作＞
・サーボ動作
ピックアップ１により検出された信号は、マトリクス回路９にてフォーカスエラー信号ＦＥ、トラッキングエラー信号ＴＥなどのサーボ誤差信号に変換され、サーボ回路１４に送られる。サーボ回路１４から出たドライブ信号ＦＤ、ＴＤはピックアップ１の二軸機構３を駆動し、フォーカスサーボ、トラッキングサーボを行う。
・データ再生
ピックアップ１により検出された信号は、マトリクス回路９にてＲＦ信号に変換され、エンコード／デコード部１２に送られる。エンコード／デコード部１２ではチャンネルクロックが再生され、チャンネルクロックに基づいてデコードが行われる。デコードされたデータはインターフェイス部１３に送られる。
・回転制御
ディスク１００の回転は、エンコード／デコード部１２にて再生されたチャンネルクロックをスピンドルサーボ回路２３に送り制御する。
・アドレス再生
アドレスはＲＦ信号中に含まれており、エンコード／デコード部１２にてデコードされシステムコントローラ１０に送られる。
但し、シーク時には、ランドプリピットによるアドレスを抽出して目的位置への移動制御が行われる。
・レーザ制御
ＡＰＣ回路１９は、システムコントローラ１０の指示により、レーザー出力を一定に保つように制御する。
【００３７】
＜記録時の動作＞
・サーボ動作
再生時と同様に行われるが、レーザーパワーの上昇によりゲインが高くならないように、マトリクス回路９もしくはサーボ回路１４にて補正される。
・データ記録
インターフェイス部１３を通じて取り込まれたデータは、エンコード／デコード部１２でＥＣＣの付加、並び替え、変調などのチャンネルコーディングが行われる。チャンネルコーディングを受けたデータは、記録パルス発生部２１で、ディスク１００に適したレーザ駆動パルスに変換され、レーザドライバ１８（ＡＰＣ回路１９）を通じて、ピックアップ１中のレーザダイオード４に加えられる。・回転制御
マトリクス回路９より出力されたプッシュプル信号Ｐ／Ｐは、ウォブルＰＬＬでウォブルクロックＷＣＫとされ、スピンドルサーボ回路２３に加えられて線速一定（ＣＬＶ）の回転制御が行われる。
・アドレス再生
マトリクス回路９より出力されたプッシュプル信号Ｐ／Ｐは、ランドプリピット抽出部２４に送られランドプリピット情報が検出される。検出されたランドプリピット情報はアドレスデコーダ２６でアドレス値にデコードされ、システムコントローラ１０にて読み取られる。
また、ランドプリピット情報はエンコードクロック発生部２７にも送られ、そこで、エンコードクロックが再生されエンコード／デコード部１２に加えられる。
【００３８】
ところで、図１の例は、ホストコンピュータ８０に接続されるディスクドライブ装置３０としたが、本発明のディスクドライブ装置としてはホストコンピュータ８０等と接続されない形態もあり得る。その場合は、操作部や表示部が設けられたり、データ入出力のインターフェース部位の構成が、図１とは異なるものとなる。つまり、ユーザーの操作に応じて記録や再生が行われるとともに、各種データの入出力のための端子部が形成されればよい。
【００３９】
続いて、上記ディスクドライブ装置３０において、ディスク上のランドプリピットとして記録されているアドレス情報を検出するための構成及び動作を図２，図３で説明する。
図２においては、ランドプリピットを検出するための部位として、ピックアップ１内のフォトディテクタ５、マトリクス回路９における差動アンプ９ａ、ランドプリピット抽出部２４、ウォブルＰＬＬ２５、アドレスデコーダ２６、及びシステムコントローラ１０を示している。
なお、マトリクス回路９においては、プッシュプル信号Ｐ／Ｐを生成する差動アンプ９ａのみを示しており、上述したＲＦ信号、フォーカスエラー信号ＦＥ、トラッキングエラー信号ＴＥ等を生成する回路構成部分については図示及び説明を省略する。
【００４０】
フォトディテクタ５は図示するように受光部Ａ，Ｂ，Ｃ，Ｄから成る４分割ディテクタとしており、実際には、各受光部により検出される反射光（受光量に応じた電流）が、それぞれマトリクス回路９において電流／電圧変換され、さらに電圧値とされたＡ、Ｂ、Ｃ、Ｄの信号が演算されてフォーカスエラーＦＥやプッシュプル信号Ｐ／Ｐ等の所要の信号が生成されるものである。ここではプッシュプル信号Ｐ／Ｐを生成するための信号について説明する。
【００４１】
プッシュプル信号Ｐ／Ｐを得るための信号は、図示するようにトラック上にレーザスポットＬＳが照射された際に、トラック線方向に対してレーザスポットＬＳの図中左半分に相当する反射光量信号と、右半分に相当する反射光量信号となる。即ち信号Ａ＋Ｃから信号Ｂ＋Ｄが差動アンプ９ａで減算されてプッシュプル信号Ｐ／Ｐが生成される。信号Ａ＋Ｃとは、受光部Ａ、Ｃで得られる電流が電圧に変換され、加算されたものである。また信号Ｂ＋Ｄは、受光部Ｂ、Ｄで得られる電流が電圧に変換され、加算されたものである。
【００４２】
図１でも述べたように、プッシュプル信号Ｐ／ＰはウォブルＰＬＬ２５に供給され、ウォブリンググルーブに同期したウォブルクロックＷＣＫが生成される。
またプッシュプル信号Ｐ／Ｐはランドプリピット抽出部２４に供給される。
【００４３】
ランドプリピット抽出部２４は、ウインドウ生成回路３１，積分回路３２，２値化回路３３，モノマルチバイブレータ３４，Ｄフリップフロップ３５を有する。
ウインドウ生成回路３１は、プッシュプル信号Ｐ／Ｐを所定のスレッショルドレベルｔｈ１を用いて２値化し、その２値化信号をウインドウ信号Ｗｄとして積分回路３２に出力する。
図３（ａ）には、グルーブトラックにデータ記録が行われた領域でのプッシュプル信号Ｐ／Ｐとして、特にランドプリピットによる振幅波形を示している。
このプッシュプル信号Ｐ／Ｐがスレッショルドレベルｔｈ１で比較されて２値化されることで、図３（ｂ）のようなウインドウ信号Ｗｄが生成される。このウインドウ信号Ｗｄは、ランドプリピットによる振幅がある期間を示す信号となる。
【００４４】
積分回路３２は、ウインドウ信号Ｗｄがアクティブな期間だけ、入力されるプッシュプル信号Ｐ／Ｐに対する積分を行い、ウインドウ信号Ｗｄが閉じると積分をリセットするように構成されている。
従って、積分回路３２の積分出力信号Ｓ１は、図３（ｄ）のようになり、つまりランドプリピットによる振幅期間においてプッシュプル信号Ｐ／Ｐを積分した信号となる。
【００４５】
積分回路３２の出力信号Ｓ１は２値化回路３３で、所定のスレッショルドレベルｔｈ２により２値化される。この２値化回路３３の出力信号Ｓ２は図３（ｄ）のようになる。
２値化回路３３の出力信号Ｓ２は、モノマルチバイブレータ３４で時間方向に引き延ばされてＤフリップフロップ３５に供給される。そしてＤフリップフロップ３５はウォブルクロックＷＣＫの立ち下がりでラッチ出力する。
このＤフリップフロップ３５の出力は、図５で説明したランドプリピットのｂ２，ｂ１，ｂ０の情報となり、これがアドレスデコーダ２６に供給される。
【００４６】
アドレスデコーダ２６は、ｂ２，ｂ１，ｂ０の情報から図６のデータパターンを検出して「１」「０」を抽出し、そのデータ列からアドレス情報のデコード、エラー訂正等を行う。これによって抽出されたアドレス情報はシステムコントローラ１０に送られる。
【００４７】
このように本例では、プッシュプル信号Ｐ／Ｐをランドプリピットの振幅期間において積分し、その積分出力信号Ｓ１からランドプリピットの情報を抽出するようにしている。
上述したとおり、グルーブトラックにデータ記録が行われた後では、プッシュプル信号Ｐ／Ｐにおいてはランドプリピットに基づく振幅が乱れるため良好なアドレス検出ができなかった。これに対して本例では、プッシュプル信号Ｐ／Ｐを積分することで、ランドプリピットに応じた明確な振幅波形を得るようにし、その積分した信号を２値化することでランドプリピットの情報を得る。これによって、グルーブトラックにデータ記録がなされている場合でも、ランドプリピットを正確に検出でき、従ってランドプリピットによるアドレス情報を安定して読み出せることになる。
データ記録後でもランドプリピットによるアドレス情報が安定して読み出せるということは、記録済のディスクに対する追記やシークの際に、アドレスを正確に読み出せることを意味し、これによって安定した動作が実現される。
【００４８】
以上、実施の形態のディスクドライブ装置について説明してきたが、本発明はこれらの例に限定されるものではなく、要旨の範囲内で各種変形例が考えられるものである。
【００４９】
【発明の効果】
以上の説明から理解されるように本発明よれば、プッシュプル信号を２値化して得たウインドウ信号によりランドプリピット検出期間を規定し、その期間においてプッシュプル信号を積分して、積分結果からランドプリピットによるアドレス情報を得るようにしている。この場合、プッシュプル信号の積分信号は、ランドプリピットに応じた明確な波形となるため、グルーブトラックにデータ記録が行われた後であっても、ランドプリピットによるアドレス情報を安定的に読み出すことができるという効果があり、記録後のディスクに対する追記やシーク動作も安定するため、装置性能が向上される。
また精度の高い高価なピックアップを使用する必要もなく、コスト的にも好適である。
【図面の簡単な説明】
【図１】本発明の実施の形態のディスクドライブ装置のブロック図である。
【図２】実施の形態のディスクドライブ装置のランドプリピットによるアドレス抽出のための構成のブロック図である。
【図３】実施の形態のランドプリピットによるアドレス抽出過程での信号波形の説明図である。
【図４】ランドプリピットが形成されたディスクの説明図である。
【図５】ランドプリピット信号の波形の説明図である。
【図６】ランドプリピットのデータパターンの説明図である。
【符号の説明】
１　ピックアップ、２　対物レンズ、３　二軸機構、４　レーザダイオード、５　フォトディテクタ、６　スピンドルモータ、８　スレッド機構、９　マトリクス回路、１０　システムコントローラ、１２　エンコード／デコード部、１３インターフェース部、１４　サーボ回路、２０　バッファメモリ、２１　記録パルス発生部、２３　スピンドルサーボ回路、２４　ランドプリピット抽出部、２５　ウォブルＰＬＬ、２６　アドレスデコーダ、２７　エンコードクロック発生部、３０　ディスクドライブ装置、３１　ウインドウ生成回路、３２　積分回路、３３　２値化回路、３４　モノマルチバイブレータ、３５　Ｄフリップフロップフロップ、１００　ディスク
【図１】
2004079030.tif 000003
【図２】
2004079030.tif 000004
【図３】
2004079030.tif 000005
【図４】
2004079030.tif 000006
【図５】
2004079030.tif 000007
【図６】
2004079030.tif 000008